(57)【要約】【課題】常時装着が可能でありかつ装着が容易な血圧計を提供することを目的とする。【解決手段】生体を加圧する加圧力を検出する圧力センサと、前記圧力センサの検出する部位での脈波を検出する脈波センサと、生体を加圧する少なくとも１つの加圧部と、を少なくとも２つの端部を有するアームに備える。アームの形状は、Ｖ字型、Ｕ字型、Ｃ字型、コの字型、Ｗ字型、Ｅ字型であり、生体の一部の挟持に適した形状となっている。特に、耳介は痛点が少ないので、細かな凹凸の多い耳介への装着に適したアームの形状にすることで、血圧計を常時装着する被検者の負担を軽減することが可能になる。【選択図】図１
2006102162.tif 000002
【特許請求の範囲】
【請求項１】
少なくとも２つの端部を有するＶ字型一体構造のアームと、
前記アームのいずれかの端部から生体を加圧する少なくとも１つの加圧部と、
前記加圧部の生体を加圧する加圧力を前記アームのいずれかの端部から検出する少なくとも１つの圧力センサと、
前記圧力センサの検出する生体の部位での脈波を前記アームのいずれかの端部から検出する少なくとも１つの脈波センサと、を備える血圧計。
【請求項２】
少なくとも２つの端部を有するＶ字型一体構造のアームと、
前記アームのいずれかの端部から生体を加圧する少なくとも１つの加圧部と、
前記加圧部の生体を加圧する加圧力を前記アームのいずれかの端部から検出する少なくとも１つの圧力センサと、
前記加圧部の加圧する生体の部位での脈波を前記アームのいずれかの端部から検出する少なくとも１つの脈波センサと、を備える血圧計。
【請求項３】
少なくとも２つの端部を有するＵ字型一体構造のアームと、
前記アームのいずれかの端部から生体を加圧する少なくとも１つの加圧部と、
前記加圧部の生体を加圧する加圧力を前記アームのいずれかの端部から検出する少なくとも１つの圧力センサと、
前記圧力センサの検出する生体の部位での脈波を前記アームのいずれかの端部から検出する少なくとも１つの脈波センサと、を備える血圧計。
【請求項４】
少なくとも２つの端部を有するＵ字型一体構造のアームと、
前記アームのいずれかの端部から生体を加圧する少なくとも１つの加圧部と、
前記加圧部の生体を加圧する加圧力を前記アームのいずれかの端部から検出する少なくとも１つの圧力センサと、
前記加圧部の加圧する生体の部位での脈波を前記アームのいずれかの端部から検出する少なくとも１つの脈波センサと、を備える血圧計。
【請求項５】
少なくとも２つの端面を有するＣ字型一体構造のアームと、
前記アームのいずれかの端面から生体を加圧する少なくとも１つの加圧部と、
前記加圧部の生体を加圧する加圧力を前記アームのいずれかの端面から検出する少なくとも１つの圧力センサと、
前記圧力センサの検出する生体の部位での脈波を前記アームのいずれかの端面から検出する少なくとも１つの脈波センサと、を備える血圧計。
【請求項６】
少なくとも２つの端面を有するＣ字型一体構造のアームと、
前記アームのいずれかの端面から生体を加圧する少なくとも１つの加圧部と、
前記加圧部の生体を加圧する加圧力を前記アームのいずれかの端面から検出する少なくとも１つの圧力センサと、
前記加圧部の加圧する生体の部位での脈波を前記アームのいずれかの端面から検出する少なくとも１つの脈波センサと、を備える血圧計。
【請求項７】
少なくとも２つの端部を有するコの字型一体構造のアームと、
前記アームのいずれかの端部から生体を加圧する少なくとも１つの加圧部と、
前記加圧部の生体を加圧する加圧力を前記アームのいずれかの端部から検出する少なくとも１つの圧力センサと、
前記圧力センサの検出する生体の部位での脈波を前記アームのいずれかの端部から検出する少なくとも１つの脈波センサと、を備える血圧計。
【請求項８】
少なくとも２つの端部を有するコの字型一体構造のアームと、
前記アームのいずれかの端部から生体を加圧する少なくとも１つの加圧部と、
前記加圧部の生体を加圧する加圧力を前記アームのいずれかの端部から検出する少なくとも１つの圧力センサと、
前記加圧部の加圧する生体の部位での脈波を前記アームのいずれかの端部から検出する少なくとも１つの脈波センサと、を備える血圧計。
【請求項９】
少なくとも２つの端部を有するＷ字型一体構造のアームと、
前記アームの２つの端部又は前記端部に対向する中間点のいずれかから生体を加圧する少なくとも１つの加圧部と、
前記加圧部の生体を加圧する加圧力を前記アームの２つの端部又は前記端部に対向する中間点のいずれかから検出する少なくとも１つの圧力センサと、
前記圧力センサの検出する生体の部位での脈波を前記アームの２つの端部又は前記端部に対向する中間点のいずれかから検出する少なくとも１つの脈波センサと、を備える血圧計。
【請求項１０】
少なくとも２つの端部を有するＷ字型一体構造のアームと、
前記アームの２つの端部又は前記端部に対向する中間点のいずれかから生体を加圧する少なくとも１つの加圧部と、
前記加圧部の生体を加圧する加圧力を前記アームの２つの端部又は前記端部に対向する中間点のいずれかから検出する少なくとも１つの圧力センサと、
前記加圧部の加圧する生体の部位での脈波を前記アームの２つの端部又は前記端部に対向する中間点のいずれかから検出する少なくとも１つの脈波センサと、を備える血圧計。
【請求項１１】
少なくとも３つの端部を有するＥ字型一体構造のアームと、
前記アームのいずれかの端部から生体を加圧する少なくとも１つの加圧部と、
前記加圧部の生体を加圧する加圧力を前記アームのいずれかの端部から検出する少なくとも１つの圧力センサと、
前記圧力センサの検出する生体の部位での脈波を前記アームのいずれかの端部から検出する少なくとも１つの脈波センサと、を備える血圧計。
【請求項１２】
少なくとも３つの端部を有するＥ字型一体構造のアームと、
前記アームのいずれかの端部から生体を加圧する少なくとも１つの加圧部と、
前記加圧部の生体を加圧する加圧力を前記アームのいずれかの端部から検出する少なくとも１つの圧力センサと、
前記加圧部の加圧する生体の部位での脈波を前記アームのいずれかの端部から検出する少なくとも１つの脈波センサと、を備える血圧計。
【請求項１３】
少なくとも２つの構造体が１つの接続部又は１つの支軸を介して接続された、少なくとも２つの端部を有するＶ字型構造のアームと、
前記アームのいずれかの端部から生体を加圧する少なくとも１つの加圧部と、
前記加圧部の生体を加圧する加圧力を前記アームのいずれかの端部から検出する少なくとも１つの圧力センサと、
前記圧力センサの検出する生体の部位での脈波を前記アームのいずれかの端部から検出する少なくとも１つの脈波センサと、を備える血圧計。
【請求項１４】
少なくとも２つの構造体が１つの接続部又は１つの支軸を介して接続された、少なくとも２つの端部を有するＶ字型構造のアームと、
前記アームのいずれかの端部から生体を加圧する少なくとも１つの加圧部と、
前記加圧部の生体を加圧する加圧力を前記アームのいずれかの端部から検出する少なくとも１つの圧力センサと、
前記加圧部の加圧する生体の部位での脈波を前記アームのいずれかの端部から検出する少なくとも１つの脈波センサと、を備える血圧計。
【請求項１５】
少なくとも２つの構造体が１つの接続部又は１つの支軸を介して接続された、少なくとも２つの端部を有するＵ字型構造のアームと、
前記アームのいずれかの端部から生体を加圧する少なくとも１つの加圧部と、
前記加圧部の生体を加圧する加圧力を前記アームのいずれかの端部から検出する少なくとも１つの圧力センサと、
前記圧力センサの検出する生体の部位での脈波を前記アームのいずれかの端部から検出する少なくとも１つの脈波センサと、を備える血圧計。
【請求項１６】
少なくとも２つの構造体が１つの接続部又は１つの支軸を介して接続された、少なくとも２つの端部を有するＵ字型構造のアームと、
前記アームのいずれかの端部から生体を加圧する少なくとも１つの加圧部と、
前記加圧部の生体を加圧する加圧力を前記アームのいずれかの端部から検出する少なくとも１つの圧力センサと、
前記加圧部の加圧する生体の部位での脈波を前記アームのいずれかの端部から検出する少なくとも１つの脈波センサと、を備える血圧計。
【請求項１７】
少なくとも２つの構造体が１つの接続部又は１つの支軸を介して接続された、少なくとも２つの端面を有するＣ字型構造のアームと、
前記アームのいずれかの端面から生体を加圧する少なくとも１つの加圧部と、
前記加圧部の生体を加圧する加圧力を前記アームのいずれかの端面から検出する少なくとも１つの圧力センサと、
前記圧力センサの検出する生体の部位での脈波を前記アームのいずれかの端面から検出する少なくとも１つの脈波センサと、を備える血圧計。
【請求項１８】
少なくとも２つの構造体が１つの接続部又は１つの支軸を介して接続された、少なくとも２つの端面を有するＣ字型構造のアームと、
前記アームのいずれかの端面から生体を加圧する少なくとも１つの加圧部と、
前記加圧部の生体を加圧する加圧力を前記アームのいずれかの端面から検出する少なくとも１つの圧力センサと、
前記加圧部の加圧する生体の部位での脈波を前記アームのいずれかの端面から検出する少なくとも１つの脈波センサと、を備える血圧計。
【請求項１９】
少なくとも２つの構造体が１つの接続部又は１つの支軸を介して接続された、少なくとも２つの端部を有するコの字型構造のアームと、
前記アームのいずれかの端部から生体を加圧する少なくとも１つの加圧部と、
前記加圧部の生体を加圧する加圧力を前記アームのいずれかの端部から検出する少なくとも１つの圧力センサと、
前記圧力センサの検出する生体の部位での脈波を前記アームのいずれかの端部から検出する少なくとも１つの脈波センサと、を備える血圧計。
【請求項２０】
少なくとも２つの構造体が１つの接続部又は１つの支軸を介して接続された、少なくとも２つの端部を有するコの字型構造のアームと、
前記アームのいずれかの端部から生体を加圧する少なくとも１つの加圧部と、
前記加圧部の生体を加圧する加圧力を前記アームのいずれかの端部から検出する少なくとも１つの圧力センサと、
前記加圧部の加圧する生体の部位での脈波を前記アームのいずれかの端部から検出する少なくとも１つの脈波センサと、を備える血圧計。
【請求項２１】
Ｖ字型構造体の両端と２つのＩ字型構造体の端部とがＶ字型構造体の両端にある２つの接続部又は２つの支軸を介して接続された、少なくとも２つの端部を有するＷ字型構造のアームと、
前記アームの２つの端部又は前記端部に対向する中間点のいずれかから生体を加圧する少なくとも１つの加圧部と、
前記加圧部の生体を加圧する加圧力を前記アームの２つの端部又は前記端部に対向する中間点のいずれかから検出する少なくとも１つの圧力センサと、
前記圧力センサの検出する生体の部位での脈波を前記アームの２つの端部又は前記端部に対向する中間点のいずれかから検出する少なくとも１つの脈波センサと、を備える血圧計。
【請求項２２】
Ｖ字型構造体の両端と２つのＩ字型構造体の端部とがＶ字型構造体の両端にある２つの接続部又は２つの支軸を介して接続された、少なくとも２つの端部を有するＷ字型構造のアームと、
前記アームの２つの端部又は前記端部に対向する中間点のいずれかから生体を加圧する少なくとも１つの加圧部と、
前記加圧部の生体を加圧する加圧力を前記アームの２つの端部又は前記端部に対向する中間点のいずれかから検出する少なくとも１つの圧力センサと、
前記加圧部の加圧する生体の部位での脈波を前記アームの２つの端部又は前記端部に対向する中間点のいずれかから検出する少なくとも１つの脈波センサと、を備える血圧計。
【請求項２３】
角隅に２つの接続部又は２つの支軸を有するコの字型構造体の前記角隅の中間と１つのＩ字型構造体の端部とが接続された、少なくとも３つの端部を有するＥ字型構造のアームと、
前記アームのいずれかの端部から生体を加圧する少なくとも１つの加圧部と、
前記加圧部の生体を加圧する加圧力を前記アームのいずれかの端部から検出する少なくとも１つの圧力センサと、
前記圧力センサの検出する生体の部位での脈波を前記アームのいずれかの端部から検出する少なくとも１つの脈波センサと、を備える血圧計。
【請求項２４】
角隅に２つの接続部又は２つの支軸を有するコの字型構造体の前記角隅の中間と１つのＩ字型構造体の端部とが接続された、少なくとも３つの端部を有するＥ字型構造のアームと、
前記アームのいずれかの端部から生体を加圧する少なくとも１つの加圧部と、
前記加圧部の生体を加圧する加圧力を前記アームのいずれかの端部から検出する少なくとも１つの圧力センサと、
前記加圧部の加圧する生体の部位での脈波を前記アームのいずれかの端部から検出する少なくとも１つの脈波センサと、を備える血圧計。
【請求項２５】
前記接続部は、前記アームの開き角度が調整できる接続角度調整機構を備えることを特徴とする請求項１３から２４に記載のいずれかの血圧計。
【請求項２６】
前記支軸は、前記アームの開き角度が調整できる開き角度調整機構を少なくとも１つ備えることを特徴とする請求項１３から２５に記載のいずれかの血圧計。
【請求項２７】
前記支軸は、長さが調整できる長さ調整機構を備えることを特徴とする請求項１３から２６に記載のいずれかの血圧計。
【請求項２８】
前記圧力センサ、前記脈波センサ又は前記加圧部のいずれかは、アームの対向する部位との距離が調整できる距離調整機構を備えることを特徴とする請求項１から２７に記載のいずれかの血圧計。
【請求項２９】
前記圧力センサ、前記脈波センサ又は前記加圧部は、方向が可変できる方向調整機構を備えることを特徴とする請求項１から２８に記載のいずれかの血圧計。
【請求項３０】
前記圧力センサ、前記脈波センサ又は前記加圧部のいずれかを支えるアームの部位は、アームの長軸方向に延長できる延長機構を備えることを特徴とする請求項１から２９に記載のいずれかの血圧計。
【請求項３１】
前記アームは、人体の耳介への固定機構をさらに備えることを特徴とする請求項１から３０に記載のいずれかの血圧計。
【発明の詳細な説明】
【技術分野】
【０００１】
本発明は、アームにより生体を挟持する血圧計に関するものである。
【背景技術】
【０００２】
高齢化が進み、成人の生活習慣病への対応が社会的に大きな課題となっている。特に高血圧に関連する疾患の場合、長期の血圧データの収集が非常に重要である点が認識されている。このような観点から、血圧を始めとした各種の生体情報の測定装置が開発されている。従来は、測定部位を全周的に取り巻く構造で加圧する血圧計のみで対応面のみが加圧する構造の血圧計はなかった。
【０００３】
従来の外耳部で生体情報を測定する技術には、外耳道又は外耳中の他の部位に、挿入され、常時装着する患者モニタ装置がある（例えば、特許文献１参照。）。この装置は、脈拍、脈波、心電、体温、動脈血酸素飽和度、及び血圧などを生体内へ放射した赤外光、可視光の散乱光の受光量から計算するものである。しかし、この装置は、耳への固定手段がなく、安定に生体情報を測定できない。また、血圧の具体的な測定方法が明示されていない。
【０００４】
また、耳は複雑な形状（例えば、非特許文献２、３参照。）をしているが、従来の装置は外耳道に装着するものである。このため、固定が困難であった。
【０００５】
一方、血圧の測定に関しては、血管の脈動波形による血圧測定装置は、他の方式であるカフ振動法や容積補償法などによる血圧測定装置（例えば、非特許文献１参照。）と並んで、有力な血圧の測定方法として認められている。
【０００６】
なお、本願では、耳介の名称は非特許文献２、３による。また、耳介の表側とは、耳介の耳道のある面をいい、耳介の裏側とは耳介の耳道のない面をいう。
【特許文献１】特開平９−１２２０８３号公報
【非特許文献１】山越  憲一、戸川  達男  ：  「生体センサと計測装置」日本エム・イー学会編／ＭＥ教科書シリーズ  Ａ−１、３９頁〜５２頁
【非特許文献２】Ｓｏｂｏｔｔａ  図説人体解剖学第１巻（監訳者：岡本道雄）、ｐ．１２６、（株）医学書院、１９９６年１０月１日発行
【非特許文献３】Ｓｏｂｏｔｔａ  図説人体解剖学第１巻（監訳者：岡本道雄）、ｐ．１２７、（株）医学書院、１９９６年１０月１日発行
【発明の開示】
【発明が解決しようとする課題】
【０００７】
日常活動の中での測定や常に血圧計を装着した状態で一定間隔や連続して血圧を測定することが困難であるため、生体情報測定装置の保持方法が課題であった。
【０００８】
本発明は上記課題を解決するためになされたもので、常時装着が可能でありかつ装着が容易な血圧計を提供することを目的とする。
【課題を解決するための手段】
【０００９】
上記目的を達成するために、本発明は、生体を加圧する加圧力を検出する圧力センサと、前記圧力センサの検出する部位での脈波を検出する脈波センサと、生体を加圧する少なくとも１つの加圧部と、を少なくとも２つの端部を有するアームに備える。アームの形状は、Ｖ字型、Ｕ字型、Ｃ字型、コの字型、Ｗ字型、Ｅ字型であり、生体の一部の挟持に適した形状となっている。このように、生体への装着に適した形状のアームに、圧力センサと、脈波センサと、加圧部と、を備えることにより、常時装着が可能でありかつ装着が容易な血圧計を提供することが可能になる。
【００１０】
特に、耳介は痛点が少ないので、細かな凹凸の多い耳介への装着に適したアームの形状にすることで、血圧計を常時装着する被検者の負担を軽減することが可能になる。さらに、耳介は被服等によって覆われることの少ない部位であるので、装着が容易である。このように、生体の突起部、特に耳介の突起部への装着に適した形状のアームに、圧力センサと、脈波センサと、加圧部と、を備えることにより、常時装着が可能でありかつ装着が容易な血圧計を提供することが可能になる。
【００１１】
具体的には、本発明に係る血圧計は、少なくとも２つの端部を有するＶ字型一体構造のアームと、前記アームのいずれかの端部から生体を加圧する少なくとも１つの加圧部と、前記加圧部の生体を加圧する加圧力を前記アームのいずれかの端部から検出する少なくとも１つの圧力センサと、前記圧力センサの検出する生体の部位での脈波を前記アームのいずれかの端部から検出する少なくとも１つの脈波センサと、を備える。
【００１２】
また、本発明に係る血圧計は、少なくとも２つの端部を有するＶ字型一体構造のアームと、前記アームのいずれかの端部から生体を加圧する少なくとも１つの加圧部と、前記加圧部の生体を加圧する加圧力を前記アームのいずれかの端部から検出する少なくとも１つの圧力センサと、前記加圧部の加圧する生体の部位での脈波を前記アームのいずれかの端部から検出する少なくとも１つの脈波センサと、を備える。
【００１３】
アームが一体構造であることにより、小型化及び軽量化を図ることができる。このように、生体の突起部、特に耳介の突起部への装着に適した形状のＶ字型一体構造のアームに、圧力センサと、脈波センサと、加圧部と、を備えることにより、常時装着が可能でありかつ装着が容易な血圧計を提供することが可能になる。
【００１４】
本発明に係る血圧計は、少なくとも２つの端部を有するＵ字型一体構造のアームと、前記アームのいずれかの端部から生体を加圧する少なくとも１つの加圧部と、前記加圧部の生体を加圧する加圧力を前記アームのいずれかの端部から検出する少なくとも１つの圧力センサと、前記圧力センサの検出する生体の部位での脈波を前記アームのいずれかの端部から検出する少なくとも１つの脈波センサと、を備える。
【００１５】
また、本発明に係る血圧計は、少なくとも２つの端部を有するＵ字型一体構造のアームと、前記アームのいずれかの端部から生体を加圧する少なくとも１つの加圧部と、前記加圧部の生体を加圧する加圧力を前記アームのいずれかの端部から検出する少なくとも１つの圧力センサと、前記加圧部の加圧する生体の部位での脈波を前記アームのいずれかの端部から検出する少なくとも１つの脈波センサと、を備える。
【００１６】
アームが一体構造であることにより、小型化及び軽量化を図ることができる。このように、生体の突起部、特に耳介の突起部への装着に適した形状のＵ字型一体構造のアームに、圧力センサと、脈波センサと、加圧部と、を備えることにより、常時装着が可能でありかつ装着が容易な血圧計を提供することが可能になる。
【００１７】
本発明に係る血圧計は、少なくとも２つの端面を有するＣ字型一体構造のアームと、前記アームのいずれかの端面から生体を加圧する少なくとも１つの加圧部と、前記加圧部の生体を加圧する加圧力を前記アームのいずれかの端面から検出する少なくとも１つの圧力センサと、前記圧力センサの検出する生体の部位での脈波を前記アームのいずれかの端面から検出する少なくとも１つの脈波センサと、を備える。
【００１８】
また、本発明に係る血圧計は、少なくとも２つの端面を有するＣ字型一体構造のアームと、前記アームのいずれかの端面から生体を加圧する少なくとも１つの加圧部と、前記加圧部の生体を加圧する加圧力を前記アームのいずれかの端面から検出する少なくとも１つの圧力センサと、前記加圧部の加圧する生体の部位での脈波を前記アームのいずれかの端面から検出する少なくとも１つの脈波センサと、を備える。
【００１９】
アームが一体構造であることにより、小型化及び軽量化を図ることができる。このように、生体の突起部、特に耳介の突起部への装着に適した形状のＣ字型一体構造のアームに、圧力センサと、脈波センサと、加圧部と、を備えることにより、常時装着が可能でありかつ装着が容易な血圧計を提供することが可能になる。
【００２０】
本発明に係る血圧計は、少なくとも２つの端部を有するコの字型一体構造のアームと、前記アームのいずれかの端部から生体を加圧する少なくとも１つの加圧部と、前記加圧部の生体を加圧する加圧力を前記アームのいずれかの端部から検出する少なくとも１つの圧力センサと、前記圧力センサの検出する生体の部位での脈波を前記アームのいずれかの端部から検出する少なくとも１つの脈波センサと、を備える。
【００２１】
また、本発明に係る血圧計は、少なくとも２つの端部を有するコの字型一体構造のアームと、前記アームのいずれかの端部から生体を加圧する少なくとも１つの加圧部と、前記加圧部の生体を加圧する加圧力を前記アームのいずれかの端部から検出する少なくとも１つの圧力センサと、前記加圧部の加圧する生体の部位での脈波を前記アームのいずれかの端部から検出する少なくとも１つの脈波センサと、を備える。
【００２２】
アームが一体構造であることにより、小型化及び軽量化を図ることができる。このように、生体の突起部、特に耳介の突起部への装着に適した形状のコの字型一体構造のアームに、圧力センサと、脈波センサと、加圧部と、を備えることにより、常時装着が可能でありかつ装着が容易な血圧計を提供することが可能になる。
【００２３】
本発明に係る血圧計は、少なくとも２つの端部を有するＷ字型一体構造のアームと、前記アームの２つの端部又は前記端部に対向する中間点のいずれかから生体を加圧する少なくとも１つの加圧部と、前記加圧部の生体を加圧する加圧力を前記アームの２つの端部又は前記端部に対向する中間点のいずれかから検出する少なくとも１つの圧力センサと、前記圧力センサの検出する生体の部位での脈波を前記アームの２つの端部又は前記端部に対向する中間点のいずれかから検出する少なくとも１つの脈波センサと、を備える。
【００２４】
また、本発明に係る血圧計は、少なくとも２つの端部を有するＷ字型一体構造のアームと、前記アームの２つの端部又は前記端部に対向する中間点のいずれかから生体を加圧する少なくとも１つの加圧部と、前記加圧部の生体を加圧する加圧力を前記アームの２つの端部又は前記端部に対向する中間点のいずれかから検出する少なくとも１つの圧力センサと、前記加圧部の加圧する生体の部位での脈波を前記アームの２つの端部又は前記端部に対向する中間点のいずれかから検出する少なくとも１つの脈波センサと、を備える。
【００２５】
アームが一体構造であることにより、小型化及び軽量化を図ることができる。このように、生体の突起部、特に耳介の突起部への装着に適した形状のＷ字型一体構造のアームに、圧力センサと、脈波センサと、加圧部と、を備えることにより、常時装着が可能でありかつ装着が容易な血圧計を提供することが可能になる。
【００２６】
本発明に係る血圧計は、少なくとも３つの端部を有するＥ字型一体構造のアームと、前記アームのいずれかの端部から生体を加圧する少なくとも１つの加圧部と、前記加圧部の生体を加圧する加圧力を前記アームのいずれかの端部から検出する少なくとも１つの圧力センサと、前記圧力センサの検出する生体の部位での脈波を前記アームのいずれかの端部から検出する少なくとも１つの脈波センサと、を備える。
【００２７】
また、本発明に係る血圧計は、少なくとも３つの端部を有するＥ字型一体構造のアームと、前記アームのいずれかの端部から生体を加圧する少なくとも１つの加圧部と、前記加圧部の生体を加圧する加圧力を前記アームのいずれかの端部から検出する少なくとも１つの圧力センサと、前記加圧部の加圧する生体の部位での脈波を前記アームのいずれかの端部から検出する少なくとも１つの脈波センサと、を備える。
【００２８】
アームが一体構造であることにより、小型化及び軽量化を図ることができる。このように、生体の突起部、特に耳介の突起部への装着に適した形状のＥ字型一体構造のアームに、圧力センサと、脈波センサと、加圧部と、を備えることにより、常時装着が可能でありかつ装着が容易な血圧計を提供することが可能になる。
【００２９】
本発明に係る血圧計は、少なくとも２つの構造体が１つの接続部又は１つの支軸を介して接続された、少なくとも２つの端部を有するＶ字型構造のアームと、前記アームのいずれかの端部から生体を加圧する少なくとも１つの加圧部と、前記加圧部の生体を加圧する加圧力を前記アームのいずれかの端部から検出する少なくとも１つの圧力センサと、前記圧力センサの検出する生体の部位での脈波を前記アームのいずれかの端部から検出する少なくとも１つの脈波センサと、を備える。
【００３０】
また、本発明に係る血圧計は、少なくとも２つの構造体が１つの接続部又は１つの支軸を介して接続された、少なくとも２つの端部を有するＶ字型構造のアームと、前記アームのいずれかの端部から生体を加圧する少なくとも１つの加圧部と、前記加圧部の生体を加圧する加圧力を前記アームのいずれかの端部から検出する少なくとも１つの圧力センサと、前記加圧部の加圧する生体の部位での脈波を前記アームのいずれかの端部から検出する少なくとも１つの脈波センサと、を備える。
【００３１】
このように、接続部又は支軸を介して接続することによって、接続部又は支軸を用いてアームの開き角やアーム間の距離を可変することが可能になる。これにより、アームを一時的に広げて装着することができるので、より装着が容易な血圧計を提供することが可能になる。また、被検者による装着時のゆとりの調整を可能にすれば、血圧計を常時装着する被検者の負担をさらに軽減することができる。
【００３２】
本発明に係る血圧計は、少なくとも２つの構造体が１つの接続部又は１つの支軸を介して接続された、少なくとも２つの端部を有するＵ字型構造のアームと、前記アームのいずれかの端部から生体を加圧する少なくとも１つの加圧部と、前記加圧部の生体を加圧する加圧力を前記アームのいずれかの端部から検出する少なくとも１つの圧力センサと、前記圧力センサの検出する生体の部位での脈波を前記アームのいずれかの端部から検出する少なくとも１つの脈波センサと、を備える。
【００３３】
また、本発明に係る血圧計は、少なくとも２つの構造体が１つの接続部又は１つの支軸を介して接続された、少なくとも２つの端部を有するＵ字型構造のアームと、前記アームのいずれかの端部から生体を加圧する少なくとも１つの加圧部と、前記加圧部の生体を加圧する加圧力を前記アームのいずれかの端部から検出する少なくとも１つの圧力センサと、前記加圧部の加圧する生体の部位での脈波を前記アームのいずれかの端部から検出する少なくとも１つの脈波センサと、を備える。
【００３４】
このように、接続部又は支軸を介して接続することによって、接続部又は支軸を用いてアームの開き角やアーム間の距離を可変することが可能になる。これにより、アームを一時的に広げて装着することができるので、より装着が容易な血圧計を提供することが可能になる。また、被検者による装着時のゆとりの調整が可能になるので、血圧計を常時装着する被検者の負担をさらに軽減することができる。
【００３５】
本発明に係る血圧計は、少なくとも２つの構造体が１つの接続部又は１つの支軸を介して接続された、少なくとも２つの端面を有するＣ字型構造のアームと、前記アームのいずれかの端面から生体を加圧する少なくとも１つの加圧部と、前記加圧部の生体を加圧する加圧力を前記アームのいずれかの端面から検出する少なくとも１つの圧力センサと、前記圧力センサの検出する生体の部位での脈波を前記アームのいずれかの端面から検出する少なくとも１つの脈波センサと、を備える。
【００３６】
また、本発明に係る血圧計は、少なくとも２つの構造体が１つの接続部又は１つの支軸を介して接続された、少なくとも２つの端面を有するＣ字型構造のアームと、前記アームのいずれかの端面から生体を加圧する少なくとも１つの加圧部と、前記加圧部の生体を加圧する加圧力を前記アームのいずれかの端面から検出する少なくとも１つの圧力センサと、前記加圧部の加圧する生体の部位での脈波を前記アームのいずれかの端面から検出する少なくとも１つの脈波センサと、を備える。
【００３７】
このように、接続部又は支軸を介して接続することによって、接続部又は支軸を用いてアームの開き角やアーム間の距離を可変することが可能になる。これにより、アームを一時的に広げて装着することができるので、より装着が容易な血圧計を提供することが可能になる。また、被検者による装着時のゆとりの調整が可能になるので、血圧計を常時装着する被検者の負担をさらに軽減することができる。
【００３８】
本発明に係る血圧計は、少なくとも２つの構造体が１つの接続部又は１つの支軸を介して接続された、少なくとも２つの端部を有するコの字型構造のアームと、前記アームのいずれかの端部から生体を加圧する少なくとも１つの加圧部と、前記加圧部の生体を加圧する加圧力を前記アームのいずれかの端部から検出する少なくとも１つの圧力センサと、前記圧力センサの検出する生体の部位での脈波を前記アームのいずれかの端部から検出する少なくとも１つの脈波センサと、を備える。
【００３９】
また、本発明に係る血圧計は、少なくとも２つの構造体が１つの接続部又は１つの支軸を介して接続された、少なくとも２つの端部を有するコの字型構造のアームと、前記アームのいずれかの端部から生体を加圧する少なくとも１つの加圧部と、前記加圧部の生体を加圧する加圧力を前記アームのいずれかの端部から検出する少なくとも１つの圧力センサと、前記加圧部の加圧する生体の部位での脈波を前記アームのいずれかの端部から検出する少なくとも１つの脈波センサと、を備える。
【００４０】
このように、接続部又は支軸を介して接続することによって、接続部又は支軸を用いてアームの開き角やアーム間の距離を可変することが可能になる。これにより、アームを一時的に広げて装着することができるので、より装着が容易な血圧計を提供することが可能になる。また、被検者による装着時のゆとりの調整が可能になるので、血圧計を常時装着する被検者の負担をさらに軽減することができる。
【００４１】
本発明に係る血圧計は、Ｖ字型構造体の両端と２つのＩ字型構造体の端部とがＶ字型構造体の両端にある２つの接続部又は２つの支軸を介して接続された、少なくとも２つの端部を有するＷ字型構造のアームと、前記アームの２つの端部又は前記端部に対向する中間点のいずれかから生体を加圧する少なくとも１つの加圧部と、前記加圧部の生体を加圧する加圧力を前記アームの２つの端部又は前記端部に対向する中間点のいずれかから検出する少なくとも１つの圧力センサと、前記圧力センサの検出する生体の部位での脈波を前記アームの２つの端部又は前記端部に対向する中間点のいずれかから検出する少なくとも１つの脈波センサと、を備える。
【００４２】
また、本発明に係る血圧計は、Ｖ字型構造体の両端と２つのＩ字型構造体の端部とがＶ字型構造体の両端にある２つの接続部又は２つの支軸を介して接続された、少なくとも２つの端部を有するＷ字型構造のアームと、前記アームの２つの端部又は前記端部に対向する中間点のいずれかから生体を加圧する少なくとも１つの加圧部と、前記加圧部の生体を加圧する加圧力を前記アームの２つの端部又は前記端部に対向する中間点のいずれかから検出する少なくとも１つの圧力センサと、前記加圧部の加圧する生体の部位での脈波を前記アームの２つの端部又は前記端部に対向する中間点のいずれかから検出する少なくとも１つの脈波センサと、を備える。
【００４３】
このように、接続部又は支軸を介して接続することによって、接続部又は支軸を用いてアームの開き角やアーム間の距離を可変することが可能になる。これにより、アームを一時的に広げて装着することができるので、より装着が容易な血圧計を提供することが可能になる。また、被検者による装着時のゆとりの調整が可能になるので、血圧計を常時装着する被検者の負担をさらに軽減することができる。
【００４４】
本発明に係る血圧計は、  角隅に２つの接続部又は２つの支軸を有するコの字型構造体の前記角隅の中間と１つのＩ字型構造体の端部とが接続された、少なくとも３つの端部を有するＥ字型構造のアームと、前記アームのいずれかの端部から生体を加圧する少なくとも１つの加圧部と、前記加圧部の生体を加圧する加圧力を前記アームのいずれかの端部から検出する少なくとも１つの圧力センサと、前記圧力センサの検出する生体の部位での脈波を前記アームのいずれかの端部から検出する少なくとも１つの脈波センサと、を備える。
【００４５】
また、本発明に係る血圧計は、角隅に２つの接続部又は２つの支軸を有するコの字型構造体の前記角隅の中間と１つのＩ字型構造体の端部とが接続された、少なくとも３つの端部を有するＥ字型構造のアームと、前記アームのいずれかの端部から生体を加圧する少なくとも１つの加圧部と、前記加圧部の生体を加圧する加圧力を前記アームのいずれかの端部から検出する少なくとも１つの圧力センサと、前記加圧部の加圧する生体の部位での脈波を前記アームのいずれかの端部から検出する少なくとも１つの脈波センサと、を備える。
【００４６】
このように、接続部又は支軸を介して接続することによって、接続部又は支軸を用いてアームの開き角やアーム間の距離を可変することが可能になる。これにより、アームを一時的に広げて装着することができるので、より装着が容易な血圧計を提供することが可能になる。また、被検者による装着時のゆとりの調整が可能になるので、血圧計を常時装着する被検者の負担をさらに軽減することができる。
【００４７】
前記接続部は、前記アームの開き角度が調整できる接続角度調整機構を備えることが好ましい。
【００４８】
アームの開き角度が調整できる接続角度調整機構を備えることによって、アームの開き角を可変することが可能になる。これにより、アームを一時的に広げて装着することができるので、より装着が容易な血圧計を提供することが可能になる。また、被検者による装着時のゆとりの調整が可能になるので、血圧計を常時装着する被検者の負担をさらに軽減することができる。
【００４９】
前記支軸は、前記アームの開き角度が調整できる開き角度調整機構を少なくとも１つ備えることが好ましい。
【００５０】
アームの開き角度が調整できる開き角度調整機構を備えることによって、アームの開き角を可変することが可能になる。これにより、アームを一時的に広げて装着することができるので、より装着が容易な血圧計を提供することが可能になる。また、被検者による装着時のゆとりの調整が可能になるので、血圧計を常時装着する被検者の負担をさらに軽減することができる。
【００５１】
前記支軸は、長さが調整できる長さ調整機構を備えることが好ましい。
【００５２】
支軸に長さが調整できる長さ調整機構を備えることによって、アーム間の距離を可変することが可能になる。これにより、アームを一時的に広げて装着することができるので、より装着が容易な血圧計を提供することが可能になる。また、被検者による装着時のゆとりの調整が可能になるので、血圧計を常時装着する被検者の負担をさらに軽減することができる。
【００５３】
前記圧力センサ、前記脈波センサ又は前記加圧部のいずれかは、アームの対向する部位との距離が調整できる距離調整機構を備えることが好ましい。
【００５４】
前記圧力センサ、前記脈波センサ又は前記加圧部のいずれかが、アームの対向する部位との距離が調整できる距離調整機構を備えることによって、生体を挟持する圧力センサ５１、脈波センサ５２、加圧部５３のアームとの距離を、常時装着又は血圧測定に適した距離に微調整することが可能になる。これにより、血圧測定の精度を向上しかつより被検者への負担が少ない血圧計を提供することが可能になる。
【００５５】
前記圧力センサ、前記脈波センサ又は前記加圧部は、方向が可変できる方向調整機構を備えることが好ましい。
【００５６】
前記圧力センサ、前記脈波センサ又は前記加圧部が、方向が可変できる方向調整機構を備えることによって、圧力センサ、脈波センサ又は加圧部を被検部の形状に合わせた角度で装着することが可能になる。これにより、より装着が容易な血圧計を提供することが可能になる。また、被検部との接触面積を増やすことができるので、血圧計を常時装着する被検者の負担をさらに軽減することができる。
【００５７】
前記圧力センサ、前記脈波センサ又は前記加圧部のいずれかを支えるアームの部位は、アームの長軸方向に延長できる延長機構を備えることが好ましい。
【００５８】
前記圧力センサ、前記脈波センサ又は前記加圧部のいずれかを支えるアームの部位が、アームの長軸方向に延長できる延長機構を備えることによって、圧力センサ、脈波センサ又は加圧部を被検部の形状に合わせた位置に装着することが可能になる。これにより、より装着が容易な血圧計を提供することが可能になる。また、被検者による装着時のゆとりの調整が可能になるので、血圧計を常時装着する被検者の負担をさらに軽減することができる。
【００５９】
前記アームは、人体の耳介への固定機構をさらに備えることが好ましい。
【００６０】
前記アームが、耳介への固定機構をさらに備えることによって、アームが装着される部位すなわち脈波センサを装着する部位を固定することが可能になる。これにより、着脱してもほぼ同じ部位で血圧が測定できるので、血圧計の精度を向上することが可能になる。
【発明の効果】
【００６１】
本発明により、生体の突起部、特に耳介の突起部への装着に適した形状のアームに、圧力センサと、脈波センサと、加圧部と、を備えることにより、常時装着が可能でありかつ装着が容易な血圧計を提供することが可能になる。
【発明を実施するための最良の形態】
【００６２】
以下、本発明について図面の参照しながら詳細に説明するが、本発明はこれらの記載に限定して解釈されない。
（実施形態１）
図１は、実施形態１に係る血圧計を示す模式図である。実施形態１の血圧計は、アーム１１のいずれかの端部６１から生体を加圧する少なくとも１つの加圧部５３と、加圧部５３の生体を加圧する加圧力をアーム１１のいずれかの端部６１から検出する少なくとも１つの圧力センサ５１と、圧力センサ５１の検出する生体の部位での脈波をアーム１１のいずれかの端部６２から検出する少なくとも１つの脈波センサ５２と、を備える。脈波センサ５２は、加圧部５３の加圧する生体の部位での脈波をアーム１１のいずれかの端部から検出するものでもよい。
【００６３】
図１では、圧力センサ５１は、端部６１に配置されているが、端部６２に配置されてもよいし、端部６１及び６２に配置されてもよい。脈波センサ５２は、端部６２に配置されているが、端部６１に配置されてもよいし、端部６１及び６２に配置されてもよい。加圧部５３は、端部６１に配置されているが、端部６２に配置されてもよいし、端部６１及び６２に配置されてもよい。
【００６４】
アーム１１は、第１アームの形態であり、生体の一部を端部６１及び６２によって挟持するＶ字型形状をした一体の構造体である。材質としては、金、銀、ステンレス等の金属、樹脂、皮革、木、ゴム、シリコン、が例示できる。屈折部分が弾性を有し、記憶されている形状に戻ることが好ましい。また、生体に直接触れるものなので、表面が柔軟であることが好ましく、例えば、表面に、繊維や、皮、樹脂、ゴムを配してもよい。
【００６５】
図２は、他形態のアームを有する血圧計の模式図であり、（ａ）は第２アーム、（ｂ）は第３アームの例を示す。第２アームは、少なくとも２つの構造体２１ａ、２１ｂが１つの接続部３５を介して接続された、少なくとも２つの端部６１、６２を有するＶ字型構造のアームとなっている。第３アームは、少なくとも２つの構造体２１ａ、２１ｂが１つの支軸３６を介して接続された、少なくとも２つの端部６１、６２を有するＶ字型構造のアームとなっている。構造体２１ａ及び２１ｂは、例えば、棒状、円柱状、円筒状、角柱状の等のＩ字型構造体を含む。材質は前述のアーム１１と同様のものを用いることができる。ただし、屈曲しなくてもよいので、硬い材質を用いることができる。接続部３５及び支軸３６は、構造体２１ａ、２１ｂの端部を互いに接続することのできるものである。接続部３５及び支軸３６の接続機構は限定するものではなく、可動機構が備わっていてもよい。このように、接続部又は支軸を介して接続することによって、接続部又は支軸を用いてアームの開き角やアーム間の距離を可変することが可能になる。
【００６６】
実施形態１に係る血圧計の動作について説明する。加圧部５３が、端部６１及び６２によって挟まれた生体の一部（被検部）に圧力を印加し、被検部に流れる血流を停止させる。圧力センサ５１はこのときの被検部に印加された圧力を検出する。加圧部５３は徐々に印加する圧力を低減し、この圧力の低下の過程における加圧部位での脈波を脈波センサ５２によって検出する。以上により、血圧を測定することができる。なお、圧力センサ５１は、加圧部５３にかかる圧力を検出してもよい。また、加圧部５３が徐々に圧力を増加し、この圧力の増加の過程における脈波を脈波センサ５２によって検出してもよい。
【００６７】
なお、アームが一体構造である場合は、部品点数を削減することができるので、小型化及び軽量化を図ることができる。このように、生体の突起部、特に耳介の突起部への装着に適した形状のＶ字型構造のアームに、圧力センサと、脈波センサと、加圧部と、を備えることにより、常時装着が可能でありかつ装着が容易な血圧計を提供することが可能になる。さらに、アームがＶ字型であることにより、容易に製造をすることが可能となる。
【００６８】
（実施形態２）
図３は、実施形態２に係る血圧計の一例を示す模式図である。実施形態２の血圧計は、少なくとも２つの端部を有するＵ字型一体構造のアーム１２と、アーム１２のいずれかの端部６１から生体を加圧する少なくとも１つの加圧部５３と、加圧部５３の生体を加圧する加圧力をアーム１２のいずれかの端部６１から検出する少なくとも１つの圧力センサ５１と、圧力センサ５１の検出する生体の部位での脈波をアーム１２のいずれかの端部６２から検出する少なくとも１つの脈波センサ５２と、を備える。脈波センサ５２は、加圧部５３の加圧する生体の部位での脈波をアーム１２のいずれかの端部から検出するものでもよい。
【００６９】
図３では、圧力センサ５１は、端部６１に配置されているが、端部６２に配置されてもよいし、端部６１及び６２に配置されてもよい。脈波センサ５２は、端部６２に配置されているが、端部６１に配置されてもよいし、端部６１及び６２に配置されてもよい。加圧部５３は、端部６１に配置されているが、端部６２に配置されてもよいし、端部６１及び６２に配置されてもよい。
【００７０】
アーム１２は、第４アームの形態であり、生体の一部を端部６１及び６２によって挟持するＵ字型形状をした一体の構造体である。材質としては、金、銀、ステンレス等の金属、樹脂、皮革、木、ゴム、シリコン、が例示できる。湾曲部分が弾性を有し、記憶されている形状に戻ることが好ましい。また、生体に直接触れるものなので、表面が柔軟であることが好ましく、例えば、表面に、繊維や、皮、樹脂、ゴムを配してもよい。
【００７１】
図４は、他形態のアームを有する血圧計の模式図であり、（ａ）は第５アーム、（ｂ）は第６アームの例を示す。第５アームは、少なくとも２つの構造体２３、２４が１つの接続部３５を介して接続された、少なくとも２つの端部６１、６２を有するＵ字型構造のアームとなっている。第３アームは、少なくとも２つの構造体２３、２４が１つの支軸３６を介して接続された、少なくとも２つの端部６１、６２を有するＵ字型構造のアームとなっている。構造体２３、２４は、端部が湾曲したＩ字型形状をした構造体である。接続部３５又は支軸３６は、構造体２３、２４の湾曲した側の端部を互いに接続することのできるものである。接続部３５及び支軸３６の接続機構は限定するものではなく、可動機構が備わっていてもよい。このように、接続部又は支軸を介して接続することによって、接続部又は支軸を用いてアームの開き角やアーム間の距離を可変することが可能になる。
【００７２】
実施形態２の血圧計の動作は、前述の実施形態１の血圧計と同様である。なお、アームが一体構造である場合は、部品点数を削減することができるので、小型化及び軽量化を図ることができる。このように、生体の突起部、特に耳介の突起部への装着に適した形状のＵ字型構造のアームに、圧力センサと、脈波センサと、加圧部と、を備えることにより、常時装着が可能でありかつ装着が容易な血圧計を提供することが可能になる。
【００７３】
（実施形態３）
図５は、実施形態３に係る血圧計の一例を示す模式図である。実施形態３の血圧計は、少なくとも２つの端面を有するＣ字型一体構造のアーム１３と、アーム１３のいずれかの端面６３から生体を加圧する少なくとも１つの加圧部５３と、加圧部５３の生体を加圧する加圧力をアーム１３のいずれかの端面６３から検出する少なくとも１つの圧力センサ５１と、圧力センサ５１の検出する生体の部位での脈波をアーム１３のいずれかの端面６４から検出する少なくとも１つの脈波センサ５２と、を備える。脈波センサ５２は、加圧部５３の加圧する生体の部位での脈波をアーム１３のいずれかの端面から検出するものでもよい。
【００７４】
図５では、圧力センサ５１は、端面６３に配置されているが、端面６４に配置されてもよいし、端面６３及び端面６４に配置されてもよい。脈波センサ５２は、端面６４に配置されているが、端面６３に配置されてもよいし、端面６３及び端面６４に配置されてもよい。加圧部５３は、端面６３に配置されているが、端面６４に配置されてもよいし、端面６３及び６２に配置されてもよい。
【００７５】
アーム１３は、第７アームの形態であり、生体の一部を端面６３及び端面６４によって挟持するＣ字型形状をした一体の構造体である。材質としては、金、銀、ステンレス等の金属、樹脂、皮革、木、ゴム、シリコン、が例示できる。湾曲部分が弾性を有し、記憶されている形状に戻ることが好ましい。また、生体に直接触れるものなので、表面が柔軟であることが好ましく、例えば、表面に、繊維や、皮、樹脂、ゴムを配してもよい。
【００７６】
図６は、他形態のアームを有する血圧計の模式図であり、（ａ）は第８アーム、（ｂ）は第９アームの例を示す。第８アームは、少なくとも２つの構造体２５、２６が１つの接続部３５を介して接続された、少なくとも２つの端面６３、６４を有するＣ字型構造のアームとなっている。第９アームは、少なくとも２つの構造体２５、２６が１つの支軸３６を介して接続された、少なくとも２つの端面６３、６４を有するＣ字型構造のアームとなっている。構造体２５、２６は、湾曲した弓状の構造体である。材質は、前述の実施形態１のアーム１１と同様のものを用いることができる。接続部３５又は支軸３６は、構造体２５、２６の端部を互いに接続することのできるものである。接続部３５及び支軸３６の接続機構は限定するものではなく、可動機構が備わっていてもよい。このように、接続部又は支軸を介して接続することによって、接続部又は支軸を用いてアームの開き角やアーム間の距離を可変することが可能になる。
【００７７】
実施形態３の血圧計の動作は、前述の実施形態１と同様であるが、加圧部５３が挟持する部分で異なる。実施形態１では端部６１及び６２によって生体の一部（被検部）を挟持するが、本実施形態では、端面６３及び６４によって挟持する。
【００７８】
なお、アームが一体構造である場合は、部品点数を削減することができるので、小型化及び軽量化を図ることができる。このように、生体の突起部、特に耳介の突起部への装着に適した形状のＣ字型構造のアームに、圧力センサと、脈波センサと、加圧部と、を備えることにより、常時装着が可能でありかつ装着が容易な血圧計を提供することが可能になる。
【００７９】
（実施形態４）
図７は、実施形態４に係る血圧計の一例を示す模式図である。実施形態４の血圧計は、少なくとも２つの端部６１、６２を有するコの字型一体構造のアーム１４と、アーム１４のいずれかの端部６１から生体を加圧する少なくとも１つの加圧部５３と、加圧部５３の生体を加圧する加圧力をアーム１４のいずれかの端部６１から検出する少なくとも１つの圧力センサ５１と、圧力センサ５１の検出する生体の部位での脈波をアーム１４のいずれかの端部６２から検出する少なくとも１つの脈波センサ５２と、を備える。脈波センサ５２は、加圧部５３の加圧する生体の部位での脈波をアーム１４のいずれかの端部から検出するものでもよい。
【００８０】
図７では、圧力センサ５１は、端部６１に配置されているが、端部６２に配置されてもよいし、端部６１及び６２に配置されてもよい。脈波センサ５２は、端部６２に配置されているが、端部６１に配置されてもよいし、端部６１及び６２に配置されてもよい。加圧部５３は、端部６１に配置されているが、端部６２に配置されてもよいし、端部６１及び６２に配置されてもよい。
【００８１】
アーム１４は、第１０アームの形態であり、生体の一部を端部６１及び６２によって挟持するコの字型形状をした一体の構造体である。材質としては、金、銀、ステンレス等の金属、樹脂、皮革、木、ゴム、シリコン、が例示できる。屈曲部分が弾性を有し、記憶されている形状に戻ることが好ましい。また、生体に直接触れるものなので、表面が柔軟であることが好ましく、例えば、表面に、繊維や、皮、樹脂、ゴムを配してもよい。
【００８２】
図８は、他形態のアームを有する血圧計の模式図であり、（ａ）は第１１アーム、（ｂ）は第１２アームの例を示す。第１１アームは、少なくとも２つの構造体２７、２８が１つの接続部３５を介して接続された、少なくとも２つの端部６１、６２を有するコの字型構造のアームとなっている。第１２アームは、少なくとも２つの構造体２７、２８が１つの支軸３６を介して接続された、少なくとも２つの端部６１、６２を有するコの字型構造のアームとなっている。構造体２７、２８は、少なくとも一部が屈曲したＬ字形状の構造体である。図８では、それぞれ１箇所のみが屈曲しているが、２箇所以上が屈曲していてもよい。構造体２７、２８の材質は、前述の実施形態１のアーム１１と同様のものを用いることができる。接続部３５又は支軸３６は、構造体２７、２８の端部を互いに接続することのできるものである。接続部３５及び支軸３６の接続機構は限定するものではなく、可動機構が備わっていてもよい。このように、接続部又は支軸を介して接続することによって、接続部又は支軸を用いてアームの開き角やアーム間の距離を可変することが可能になる。
【００８３】
実施形態４の血圧計の動作は、前述の実施形態１の血圧計と同様である。
【００８４】
なお、アームが一体構造である場合は、部品点数を削減することができるので、小型化及び軽量化を図ることができる。このように、生体の突起部、特に耳介の突起部への装着に適した形状のコの字型構造のアームに、圧力センサと、脈波センサと、加圧部と、を備えることにより、常時装着が可能でありかつ装着が容易な血圧計を提供することが可能になる。
【００８５】
（実施形態５）
図９は、実施形態５に係る血圧計の一例を示す模式図である。実施形態５の血圧計は、少なくとも２つの端部を有するＷ字型一体構造のアーム１５と、アーム１５の２つの端部６１、６２又は端部６１、６２に対向する中間点６５、６６のいずれかである端部６１及び中間点６６から生体を加圧する少なくとも１つの加圧部５３と、加圧部５３の生体を加圧する加圧力をアーム１５の２つの端部６１、６２又は端部６１、６２に対向する中間点６５、６６のいずれかである端部６１及び中間点６６から検出する少なくとも１つの圧力センサ５１と、圧力センサ５１の検出する生体の部位での脈波をアーム１５の２つの端部６１、６２又は端部６１、６２に対向する中間点６５、６６のいずれかである端部６２及び中間点６５から検出する少なくとも１つの脈波センサ５２と、を備える。脈波センサ５２は、加圧部５３の加圧する生体の部位での脈波をアーム１５のいずれかの端部から検出するものでもよい。
【００８６】
図９では、圧力センサ５１及び加圧部５３は、端部６１及び中間点６６に配置されているが、同じ端部又は中間点に配置されなくてもよい。また圧力センサ５１及び加圧部５３は、端部６１、６２又は中間点６５、６６のいずれかでもよいし、端部６２及び中間点６５でもよいし、中間点６５及び６６でもよいし、端部６１、６２及び中間点６５、６６の全てでもよい。脈波センサ５２は、端部６２及び中間点６５に配置されているが、端部６１、６２又は中間点６５、６６のいずれかでもよいし、端部６１及び中間点６６でもよいし、中間点６５及び６６でもよいし、端部６１、６２及び中間点６５、６６の全てでもよい。
【００８７】
アーム１５は、第１３アームの形態であり、生体の一部を端部６１と中間点６５とによって、生体の他の一部を端部６２と中間点６６とによって挟持するＷ字型形状をした一体の構造体である。材質としては、金、銀、ステンレス等の金属、樹脂、皮革、木、ゴム、シリコン、が例示できる。屈曲部分が弾性を有し、記憶されている形状に戻ることが好ましい。また、生体に直接触れるものなので、表面が柔軟であることが好ましく、例えば、表面に、繊維や、皮、樹脂、ゴムを配してもよい。
【００８８】
図１０は、他形態のアームを有する血圧計の模式図であり、（ａ）は第１４アーム、（ｂ）は第１５アームの例を示す。第１４アームは、Ｖ字型構造体２９の両端６８、６９と２つのＩ字型構造体２２ａ、２２ｂの端部７１、７２とがＶ字型構造体２９の両端６８、６９にある２つの接続部３５、３７を介して接続された、少なくとも２つの端部６１、６２を有するＷ字型構造のアームとなっている。第１５アームは、Ｖ字型構造体２９の両端６８、６９と２つのＩ字型構造体２２ａ、２２ｂの端部７１、７２とがＶ字型構造体２９の両端６８、６９にある２つの支軸３６、３８を介して接続された、少なくとも２つの端部６１、６２を有するＷ字型構造のアームとなっている。なお、第１４アーム及び第１５アームのＩ字型構造体２２ａは端部６１及び７１を有し、第１４アーム及び第１５アームのＩ字型構造体２２ｂは端部６２及び７２を有する。
【００８９】
図１０に示したＩ字型構造体２２ａ及び２２ｂは、例えば、Ｉ字と類似の形状をした、棒状、円柱状、円筒状、角柱状の構造体を含む。Ｖ字型構造体２９は、例えば、Ｖ字と類似の形状をした、棒状、円柱状、円筒状、角柱状の構造体を含む。Ｉ字型構造体２２ａ、２２ｂ及びＶ字型構造体２９の材質は、前述の実施形態１のアーム１１と同様のものを用いることができる。接続部３５及び支軸３６は、Ｉ字型構造体２２ａの端部７１と、Ｖ字型構造体２９の端部６８とを接続することのできるものである。接続部３７及び支軸３８は、Ｉ字型構造体２２ｂの端部７２と、Ｖ字型構造体２９の端部６９とを接続することのできるものである。接続部３５及び支軸３６の接続機構は限定するものではなく、可動機構が備わっていてもよい。このように、接続部又は支軸を介して接続することによって、接続部又は支軸を用いてアームの開き角やアーム間の距離を可変することが可能になる。
【００９０】
実施形態５の血圧計の動作について説明する。加圧部５３ａが、端部６１及び中間点６５によって挟まれた生体の一部（被検部）に圧力を印加し、被検部に流れる血流を停止させる。また加圧部５３ｂが、端部６２及び中間点６６によって挟まれた生体の一部（被検部）に圧力を印加し、被検部に流れる血流を停止させる。圧力センサ５１ａは端部６１及び中間点６５によって挟まれた被検部に印加された圧力を検出する。圧力センサ５１ｂは端部６２及び中間点６６によって挟まれた被検部に印加された圧力を検出する。加圧部５３ａは徐々に印加する圧力を低減し、この圧力の低下の過程における加圧部位での脈波を脈波センサ５２ａによって検出する。加圧部５３ｂは徐々に印加する圧力を低減し、この圧力の低下の過程における加圧部位での脈波を脈波センサ５２ｂによって検出する。なお、圧力センサ５１ａ、５１ｂは、加圧部５３ａ、５３ｂにかかる圧力を検出してもよい。また、加圧部５３ａ、５３ｂが徐々に圧力を増加し、この圧力の増加の過程における脈波を脈波センサ５２ａ、５２ｂによって検出してもよい。
【００９１】
このように、生体の突起部、特に耳介の突起部への装着に適した形状のＷ字型構造のアームに、圧力センサと、脈波センサと、加圧部と、を備えることにより、常時装着が可能でありかつ装着が容易な血圧計を提供することが可能になる。実施形態５では、生体の２箇所で同時に生体情報を測定することができるので、端部６１と中間点６５とで血圧を測定し、端部６２と中間点５３とで他の生体情報を測定することもできる。また、アームが一体構造である場合は、部品点数を削減することができるので、小型化及び軽量化を図ることができる。
【００９２】
（実施形態６）
図１１は、実施形態６に係る血圧計の一例を示す模式図である。実施形態６の血圧計は、少なくとも３つの端部を有するＥ字型一体構造のアーム１６と、アーム１６のいずれかの端部６１、６７ｂから生体を加圧する少なくとも１つの加圧部５３と、加圧部５３の生体を加圧する加圧力をアーム１６のいずれかの端部６１、６７ｂから検出する少なくとも１つの圧力センサ５１と、圧力センサ５１の検出する生体の部位での脈波をアームのいずれかの端部６２、６７ａから検出する少なくとも１つの脈波センサ５２と、を備える。脈波センサ５２は、加圧部５３の加圧する生体の部位での脈波をアーム１６のいずれかの端部から検出するものでもよい。
【００９３】
図１１では、圧力センサ５１ａ、５１ｂ及び加圧部５３ａ、５３ｂは、端部６１及び端部６７ｂに配置されているが、同じ端部に配置されなくてもよい。また圧力センサ５１ａ、５１ｂ及び加圧部５３ａ、５３ｂは、端部６１、６２又は端部６７ａ、６７ｂのいずれかでもよいし、端部６７ａ及び端部６２でもよいし、端部６７ａ及び６７ｂでもよいし、端部６１、６２、６７ａ、６７ｂ、の全てでもよい。脈波センサ５２ａ、５２ｂは、端部６２及び６７ａに配置されているが、端部６１、６２、６７ａ、６７ｂのいずれかでもよいし、端部６１及び６７ｂでもよいし、端部６７ａ、６７ｂでもよいし、端部６１、６２、６７ａ、６７ｂの全てでもよい。
【００９４】
アーム１６は、第１６アームの形態であり、生体の一部を端部６１と端部６７ａとによって、生体の他の一部を端部６２と端部６７ｂとによって挟持するＥ字型形状をした一体の構造体である。材質としては、金、銀、ステンレス等の金属、樹脂、皮革、木、ゴム、シリコン、が例示できる。屈曲部分が弾性を有し、記憶されている形状に戻ることが好ましい。Ｅ字型形状の屈曲部の開き角は限定しない。また、生体に直接触れるものなので、表面が柔軟であることが好ましく、例えば、表面に、繊維や、皮、樹脂、ゴムを配してもよい。
【００９５】
図１２は、他形態のアームを有する血圧計の模式図であり、（ａ）は第１７アーム、（ｂ）は第１８アームの例を示す。第１７アームは、角隅に２つの接続部３５及び３７を有するコの字型構造体３０の角隅の中間と１つのＩ字型構造体２２ｄの端部とが接続された、少なくとも３つの端部を有するＥ字型構造のアームとなっている。第１８アームは、角隅に２つの支軸３６、３８を有するコの字型構造体３０の角隅の中間と１つのＩ字型構造体２２ｄの端部とが接続された、少なくとも３つの端部を有するＥ字型構造のアームとなっている。ここで、コの字型構造体３０は、一端が端部６１となり、他端が接続されるＩ字型構造体２２ａと、両端が接続されるＩ字型構造体２２ｂと、一端が接続され、他端が端部６２となるＩ字型構造体２２ｃと、を順に含む。Ｉ字型構造体２２ｂの中間点にＩ字型構造体２２ｄの一端が接続されている。Ｉ字型構造体２２ｄの他端が端部６７であり、端部６１に対向する端部６７の側面が端部６７ａ、端部６２に対向する端部６７の側面が端部６７ｂとなっている。
【００９６】
図１２に示したＩ字型構造体２２ａ−２２ｄは、例えば、Ｉ字と類似の形状をした、棒状、円柱状、円筒状、角柱状のものを含む。Ｉ字型構造体２２ａ−２２ｄの材質は前述のアーム１１と同様のものを用いることができる。接続部３５及び支軸３６、接続部３７及び支軸３８は、コの字型構造体３０の角隅でＩ字型構造体２２ａとＩ字型構造体２２ｂ及びＩ字型構造体２２ｂとＩ字型構造体２２ｃとを接続することのできるものである。なお、Ｉ字型構造体２２ｂとＩ字型構造体２２ｄとの接続部分は限定するものでなく、一体化されていてもよい。接続部３５、３７及び支軸３６、３８の接続機構は限定しない。接続部３５及び支軸３６の接続機構は限定するものではなく、可動機構が備わっていてもよい。このように、接続部又は支軸を介して接続することによって、接続部又は支軸を用いてアームの開き角やアーム間の距離を可変することが可能になる。
【００９７】
実施形態６の血圧計の動作について説明する。加圧部５３ａが、端部６１及び端部６７ａによって挟まれた生体の一部（被検部）に圧力を印加し、被検部に流れる血流を停止させる。また加圧部５３ｂが、端部６２及び端部６７ｂによって挟まれた生体の一部（被検部）に圧力を印加し、被検部に流れる血流を停止させる。圧力センサ５１ａは端部６１及び端部６７ａによって挟まれた被検部に印加された圧力を検出する。圧力センサ５１ｂは端部６２及び端部６７ｂによって挟まれた被検部に印加された圧力を検出する。加圧部５３ａは徐々に印加する圧力を低減し、この圧力の低下の過程における加圧部位での脈波を脈波センサ５２ａによって検出する。加圧部５３ｂは徐々に印加する圧力を低減し、この圧力の低下の過程における加圧部位での脈波を脈波センサ５２ｂによって検出する。なお、圧力センサ５１ａ、５１ｂは、加圧部５３ａ、５３ｂにかかる圧力を検出してもよい。また、加圧部５３ａ、５３ｂが徐々に圧力を増加し、この圧力の増加の過程における脈波を脈波センサ５２ａ、５２ｂによって検出してもよい。
【００９８】
このように、生体の突起部、特に耳介の突起部への装着に適した形状のＥ字型構造のアームに、圧力センサと、脈波センサと、加圧部と、を備えることにより、常時装着が可能でありかつ装着が容易な血圧計を提供することが可能になる。実施形態６では、生体の２箇所で同時に生体情報を測定することができるので、端部６１と中間点６７ａとで血圧を測定し、端部６２と中間点６７ｂとで他の生体情報を測定することもできる。また、アームが一体構造である場合は、部品点数を削減することができるので、小型化及び軽量化を図ることができる。
【００９９】
実施形態１から実施形態６の構造体２１、２３、２４、２５、２６、２７、２８、Ｉ字型構造体２２ａ−２２ｄ、Ｖ字型構造体２９、コの字型構造体３０の材質としては、アーム１１と同様のものが用いることができ、さらにガラス、セラミックを含んでもよい。また、生体に直接触れるものなので、表面が柔軟であることが好ましく、例えば、表面に、繊維や、皮、樹脂、ゴムを配してもよい。
【０１００】
実施形態１から実施形態６に含まれる接続部３５、３７の構造は限定しない。各構造体を一体化するものを含み、可動部が備わっていてもよい。図１３は、第１９アームの模式図である。第１９アームは、前述の実施形態１で説明した第２アームの開き角度Ａが調整できる接続角度調整機構（不図示）を備えている。接続角度調整機構は限定するものではなく、例えば、１つの回転軸を中心に回転可能な接続角度調整機構（不図示）を含む。このような接続角度調整機構を備えることにより、例えば構造体２１ａを接続部３５に固定し、接続部３５を中心に構造体２１ｂを方向Ｋに回転させることにより、構造体２１ａと構造体２１ｂとの開き角度Ａを調整することが可能になる。なお、構造体２１ａと構造体１２ｂのどちらもが接続部３５を中心に回転可能であってもよい。このように、アームの開き角度が調整できる接続角度調整機構を備えることによって、アームの開き角を可変することが可能になる。なお、図１３では第２アームを用いて説明したが、これに限定されるものではなく、前述の第５アーム、第８アーム、第１１アーム、第１４アーム、第１７アームのいずれであってもよい。
【０１０１】
実施形態１から実施形態６に含まれる支軸３６、３８の構造は限定しない。各構造体を一体化するものを含み、可動部が備わっていてもよい。図１４は第２０アームを有する血圧計の模式図である。第２０アームは、前述の実施形態１で説明した第３アームの開き角度Ａが調整できる開き角度調整機構８１を少なくとも１つ備えている。開き角度調整機構８１は限定するものではなく、例えば、構造体２１ａ及び２１ｂによって形成される平面に垂直な方向を中心に方向Ｋに回転し、支軸３６との角度Ｂを可変する開き角度調整機構８１を含む。このような開き角度調整機構８１を構造体２１ｂと支軸３６との接続部に備えることにより、例えば構造体２１ａを支軸３６に固定し、構造体２１ｂを支軸３６の回転軸を中心に回転させることにより、構造体２１ａと構造体２１ｂとの開き角度Ａを調整することが可能になる。なお、構造体２１ａと支軸３６との角度Ｃを可変するものであってもよい。構造体２１ａ及び２１ｂのどちらもが回転可能であってもよい。このように、アームの開き角度が調整できる開き角度調整機構を備えることによって、アームの開き角を可変することが可能になる。
【０１０２】
さらに、第２０アームは、前述の実施形態１で説明した第３アームの支軸３６に、さらに長さＤが調整できる長さ調整機構８４を含む。長さ調整機構８４は、構造体２１ａ及び２１ｂの中間であれば、いずれの位置に設けてもよい。その構造は限定するものではなく、例えば、伸縮可能な棒状体と該棒状体を固定可能な枠体とで構成されていてもよい。支軸に長さが調整できる長さ調整機構を備えることによって、アーム間の距離を可変することが可能になる。
【０１０３】
さらに、第２０アームは、前述の実施形態１で説明した第３アームの圧力センサ５１、脈波センサ５２又は加圧部５３のいずれかは、アームを構成する構造体２１ａ、２１ｂの対向する部位との距離が調整できる距離調整機構（不図示）を含む。図１４では、加圧部５３と構造体２１ａとの距離Ｅ、脈波センサ５２と構造体２１ｂとの距離Ｆが調整できる例が示されている。距離調整機構は限定するものではなく、例えば前述の長さ調整機構と同様のものであってもよい。図１４では脈波センサ５２と加圧部５３とのみが調整できる例を示したが、これに限定されるものではなく、圧力センサ５１が構造体２１ａ又は２１ｂのいずれかに直接接続されており、構造体との距離を調整できるようにしてもよい。このように、圧力センサ、脈波センサ又は加圧部のいずれかが、アームの対向する部位との距離が調整できる距離調整機構を備えることによって、脈波センサ５２と加圧部５３との距離を可変することが可能になるので、生体を挟持する圧力センサ５１、脈波センサ５２、加圧部５３のアームとの距離を、常時装着又は血圧測定に適した距離に微調整することが可能になる。これにより、血圧測定の精度を向上しかつより被検者への負担が少ない血圧計を提供することが可能になる。
【０１０４】
さらに、第２０アームは、前述の実施形態１で説明した第３アームの圧力センサ５１、脈波センサ５２又は加圧部５３は、方向が可変できる方向調整機構（不図示）を含む。図１４では、構造体２１ａに対する加圧部５３の方向Ｇと、構造体２１ｂに対する脈波センサ５２の方向Ｈが可変である例を示した。方向調整機構は限定するものではなく、例えば、前述の接続角度調整機構と同様の機構でもよい。このように、圧力センサ、脈波センサ又は加圧部が、方向が可変できる方向調整機構を備えることによって、圧力センサ、脈波センサ又は加圧部を被検部の形状に合わせた角度で装着することが可能になる。これにより、より装着が容易な血圧計を提供することが可能になる。また、方向が可変であることにより被検部との接触面積を増やすことができるので、血圧計を常時装着する被検者の負担をさらに軽減することができる。
【０１０５】
さらに、第２０アームは、前述の実施形態１で説明した第３アームの圧力センサ５１、脈波センサ５２又は加圧部５３のいずれかを支えるアームの部位である端部６１、６２は、アームの長軸方向である方向Ｉ及び方向Ｊに延長できる延長機構８５を含む。延長機構８５は、端部６１、６２をアームの長軸方向である方向Ｉ、Ｊに延長し、圧力センサ５１、脈波センサ５２又は加圧部５３を方向Ｉ及び方向Ｊに移動させることができる。延長機構８５は、端部６１、６２を伸縮できるものであってもよい。延長機構８５は限定するものではなく、例えば、伸縮可能な棒状体と該棒状体を固定可能な枠体とで構成されていてもよい。
【０１０６】
なお、図１４に示した上記第２０アームは、第３アームに限定するものではない。第１アームでもよいし、第２アーム、第４アーム、第５アーム、第６アーム、第７アーム、第８アーム、第９アーム、第１０アーム、第１１アーム、第１２アーム、第１３アーム、第１４アーム、第１５アーム、第１６アーム、第１７アーム、第１８アームのいずれであってもよい。
【０１０７】
さらに、第１アームから第２０アームは、それぞれ組み合わせることもできる。例えば、第１アームと第４アーム、第４アームと第４アームなどである。なお、第１アームと第１アームの組み合わせでは、第１４アーム又は第１５アームのようにしてもよい。
【０１０８】
図１５は、第２１アームを有する血圧計９１を人体の耳介１０１へ装着した際の概観図である。第２１アームは、前述の第１アームから第２０アームに、さらに人体の耳介１０１への固定機構８２を備えている。図に示した血圧計８３は、前述の第１アームから第２０アームを備える血圧計であり、血圧計８３に備わるアームと固定機構８２とでアーム２１が構成される。なお、図１５では耳介の周囲に固定可能な半円形の環状体の例を示したが、固定機構８２は限定するものではない。例えば、耳介を挟持するものでもよいし、耳介の窪みに固定するものでもよい。このように、前述の第１アームから第２０アームが、耳介への固定機構８２をさらに備えることによって、圧力センサ、脈波センサ又は加圧部が装着される部位を固定することが可能になる。これにより、着脱してもほぼ同じ部位で血圧が測定できるので、血圧測定の精度を向上することが可能になる。
【０１０９】
実施形態１から実施形態６に含まれる加圧部５３は、圧力を印加するものであり、例えば、空気圧により圧力を印加するカフが例示できる。また、水圧、油圧により圧力を印加するものでもよい。また、電磁的、機械的に圧力を印加するものでもよい。
【０１１０】
実施形態１から実施形態６に含まれる圧力センサ５１は、圧力を検出できるものである。圧力の検出方法は限定するものではなく、例えば歪みゲージ式（圧電センサ）、ブルドル管が例示できる。ただし、生体に装着するものなので、安全性の高い構成となっていることが好ましい。また、圧力センサ５１の一部はアームと別体としてもよい。例えば、加圧部５３としてカフを利用する場合、加圧部５３を構成するカフの内気を中空パイプで導き、アームと別体となった検出装置でカフの内気の圧力を検出してもよい。
【０１１１】
実施形態１から実施形態６に含まれる脈波センサ５２は、圧力センサ５１の検出する生体の部位での脈波又は加圧部５３の加圧する生体の部位の脈波を検出するものである。例えば、光電変換測定により血流を検出するものが例示できる。光電変換測定による血流検出には、ドップラー効果によるもののほか、透過型、反射型のものがある。また、圧力又は振動による圧脈を検出するものでもよい。また、コロトコフ音を検出することによるものでもよい。
【０１１２】
脈波センサ５２が、各端部又は各中間点によって挟まれた生体の一部（被検部）を光電変換測定により脈波を検出して血圧を測定する例について説明する。脈波センサに備わる発光素子の発光する光を被検部に入射させた入射光が血管により散乱され、その散乱光が脈波センサに備わる受光素子で受光される。被検部内の血管は、心臓の鼓動に応じて脈動しており、散乱光はこの脈動に対応した血管の容積の変化を受けて受光素子により受光される。受光素子により受光された散乱光を光電気変換することにより、血管の脈動に対応する脈波を検出することができる。なお、血管からの散乱光ではなく、血管の中の血球による散乱光を受光してもよい。この場合、血管の中の血球は、心臓の鼓動に応じて脈動しており、散乱光はこの脈動に対応したドップラー効果による光周波数の変化を受けている。この光周波数の変化を、ドップラーレーザ又は超音波ドップラセンサで受光して、脈波を検出してもよい。
【産業上の利用可能性】
【０１１３】
本発明の血圧計は検知部の種類により脈拍、血圧、血流などを継続的に測定する生体情報測定装置として応用できるので、医療目的ばかりでなく健康管理又は美容目的としての用途にも適用できる。
【図面の簡単な説明】
【０１１４】
【図１】実施形態１に係る血圧計の一例を示す模式図である。
【図２】実施形態１に係る他形態のアームを有する血圧計の模式図であり、（ａ）は第２アーム、（ｂ）は第３アームの例を示す。
【図３】実施形態２に係る血圧計の一例を示す模式図である。
【図４】実施形態２に係る他形態のアームを有する血圧計の模式図であり、（ａ）は第５アーム、（ｂ）は第６アームの例を示す。
【図５】実施形態３に係る血圧計の一例を示す模式図である。
【図６】実施形態３に係る他形態のアームを有する血圧計の模式図であり、（ａ）は第８アーム、（ｂ）は第９アームの例を示す。
【図７】実施形態４に係る血圧計の一例を示す模式図である。
【図８】実施形態４に係る他形態のアームを有する血圧計の模式図であり、（ａ）は第１１アーム、（ｂ）は第１２アームの例を示す。
【図９】実施形態５に係る血圧計の一例を示す模式図である。
【図１０】実施形態５に係る他形態のアームを有する血圧計の模式図であり、（ａ）は第１４アーム、（ｂ）は第１５アームの例を示す。
【図１１】実施形態６に係る血圧計の一例を示す模式図である。
【図１２】実施形態６に係る他形態のアームを有する血圧計の模式図であり、（ａ）は第１７アーム、（ｂ）は第１８アームの例を示す。
【図１３】本発明に係る第１９アームの模式図である。
【図１４】本発明に係る第２０アームを有する血圧計の模式図である。
【図１５】本発明に係る第２１アームを有する血圧計を人体の耳介へ装着した際の概観図である。
【符号の説明】
【０１１５】
１１−１６、２１ａ、２１ｂ、２１ｃ、２１ｄ、２２−３０  アーム
２１、２３、２４、２５、２６、２７、２８  構造体
２２ａ、２２ｂ、２２ｃ、２２ｄ  Ｉ字型構造体
２９  Ｖ字型構造体
３０  コの字型構造体
３５、３７、３９  接続部
３６、３８、４０  支軸
５１、５１ａ、５１ｂ  圧力センサ
５２、５２ａ、５２ｂ  脈波センサ
５３、５３ａ、５３ｂ  圧力部
６１、６２、６７  アームの端部
６３、６４  アームの端面
６５、６６  アームの中間点
８１  開き角度調整機構
８２  耳介への固定機構
８３、９１  血圧計 
８４  長さ調整機構
８５  延長機構
１０１  人体の耳介
Ａ  アームの角度
Ｂ、Ｃ  アームと支軸のなす角度
Ｄ  支軸の長さ
Ｅ、Ｆ  脈波センサ又は加圧部とアームとの距離
Ｇ、Ｈ  脈波センサ又は加圧部とアームのなす角度
Ｉ、Ｊ  アームの伸びる方向
Ｋ  アームの回転方向
【図１】
2006102162.tif 000003
【図２】
2006102162.tif 000004
【図３】
2006102162.tif 000005
【図４】
2006102162.tif 000006
【図５】
2006102162.tif 000007
【図６】
2006102162.tif 000008
【図７】
2006102162.tif 000009
【図８】
2006102162.tif 000010
【図９】
2006102162.tif 000011
【図１０】
2006102162.tif 000012
【図１１】
2006102162.tif 000013
【図１２】
2006102162.tif 000014
【図１３】
2006102162.tif 000015
【図１４】
2006102162.tif 000016
【図１５】
2006102162.tif 000017